(57)【要約】【課題】施工がし易いとともにエレベータかごの天井裏の限られたスペースを有効に利用でき、エレベータかご内の空間における光の演出を幅広くできるとともに設置場所の制約を受けずに設置できる照明器具を提供する。【解決手段】  照明器具１０は、施工面６０３に対して平行な板面部１２および施工面６０３に固定される固定片部１３を有する取付台１１と、ＬＥＤ１５を有して取付台１１の板面部１２に固定されるＬＥＤユニット１４とを備え、ＬＥＤユニット１４は、ＬＥＤ１５が、施工面６０３に形成された開口部６０５に、その前面が向くように取付台１１に取り付けられる。【選択図】図５
2012046322.tif 000002
【特許請求の範囲】
【請求項１】
施工面に対して平行な板面部および前記施工面に固定される固定片部を有する取付台と、
ＬＥＤを有して前記取付台の前記板面部に固定されるＬＥＤユニットとを備え、
前記ＬＥＤユニットは、前記ＬＥＤが、前記施工面に形成された開口部に、その前面が向くように前記取付台に取り付けられる照明器具。
【請求項２】
請求項１に記載の照明器具において、
前記取付台は、熱伝導性の良い材料を用いて形成される照明器具。
【請求項３】
請求項１または請求項２に記載の照明器具において、
前記ＬＥＤと前記施工面の前記開口部との間に隙間を設ける照明器具。
【請求項４】
請求項１ないし請求項３のうちのいずれか１項に記載の照明器具において、
前記施工面が前記開口部を複数有し、前記ＬＥＤユニットは、前記開口部に対応して複数の前記ＬＥＤが配置される照明器具。
【請求項５】
請求項１ないし請求項４のうちのいずれか１項に記載の照明器具において、
前記ＬＥＤユニットは、前記ＬＥＤの前面にレンズを設けており、前記レンズの前方側が前記施工面の前記開口部よりかご室内側へ露出する照明器具。
【発明の詳細な説明】
【技術分野】
【０００１】
本発明は、エレベータに装備されるエレベータかご内に設置される照明器具に関する。
【背景技術】
【０００２】
従来より、エレベータに装備されるエレベータかご内の天井面に、複数個の白色のＬＥＤを所定の間隔を置いて縦横に配列した照明器具が知られている（例えば、特許文献１参照）。
【先行技術文献】
【特許文献】
【０００３】
【特許文献１】特開２００４−３３８８２５号公報（図１、請求項１）
【発明の概要】
【発明が解決しようとする課題】
【０００４】
前述した特許文献１に記載された照明器具は、白熱灯や蛍光灯を用いた場合と比べて、長寿命であって省エネであり、限られたスペースを有効に利用できる。
通常、エレベータに装備されるエレベータかごにおける天井面の天井裏のスペースは、エレベータが設置される建物との兼ね合いにより極端に狭い場合があり、高さの低い照明器具が望まれる。
【０００５】
ところで、図２０に示すように、エレベータかご５０１における天井面５０２の天井裏に設置された照明器具５００が提案されている。
このような従来の照明器具５００は、枠５０３付きのダウンライト形であるために、比較的大きな高さ寸法Ｌ５００を有する。そのため、このような従来の照明器具５００は、設置にあたり、エレベータかご５０１における天井面５０２の天井裏に大きなスペースが必要である。
【０００６】
また、このような従来の照明器具５００は、枠５０３を有するために、天井面５０２に多数を設置する場合、複数の照明器具５００のそれぞれの枠５０３の外径により規制を受けるために接近した配置ができないばかりか、それぞれの枠５０３が強調され過ぎるために、所謂、うるさい感じになって外観面で具合が悪い。
さらに、このような従来の照明器具５００は、光源が直管形蛍光灯や白熱灯である場合、直管形蛍光灯や白熱灯の大きな外径に伴い、器具の外形寸法が大きくなって設置場所の制約を受ける。
また、このような従来の照明器具５００は、光源が直管形蛍光灯や白熱灯である場合、定期的なランプ交換が必要であり、突発的なランプ切れ等に対応してメンテナンス費用が必要であった。
【０００７】
本発明は、前述した課題を解決するためになされたものであり、その目的は、施工がし易いとともにエレベータかごの天井裏の限られたスペースを有効に利用でき、エレベータかご内の空間における光の演出を幅広くできるとともに設置場所の制約を受けずに設置できる照明器具を提供することにある。
【課題を解決するための手段】
【０００８】
本発明に係る照明器具は、施工面に対して平行な板面部および施工面に固定される固定片部を有する取付台と、ＬＥＤを有して取付台の板面部に固定されるＬＥＤユニットとを備え、ＬＥＤユニットは、ＬＥＤが、施工面に形成された開口部に、その前面が向くように取付台に取り付けられる。
【０００９】
本発明に係る照明器具は、取付台は、熱伝導性の良い材料を用いて形成される。
【００１０】
本発明に係る照明器具は、ＬＥＤと施工面の開口部との間に隙間を設ける。
【００１１】
本発明に係る照明器具は、施工面が開口部を複数有し、ＬＥＤユニットは、開口部に対応して複数のＬＥＤが配置される。
【００１２】
本発明に係る照明器具は、ＬＥＤユニットは、ＬＥＤの前面にレンズを設けており、レンズの前方側が施工面の開口部よりかご室内側へ露出する。
【発明の効果】
【００１３】
本発明に係る照明器具によれば、施工がし易いとともにエレベータかごの天井裏の限られたスペースを有効に利用でき、エレベータかご内の空間における光の演出を幅広くできるとともに設置場所の制約を受けずに設置できるという効果を奏する。
【図面の簡単な説明】
【００１４】
【図１】本発明に係る第１実施形態の照明器具のエレベータかごへの設置状態の斜め下方から視た外観図
【図２】図１の照明器具のエレベータかごへの設置状態の斜め上方から視た外観図
【図３】図１の照明器具の分解斜視図
【図４】図１の照明器具の平面図
【図５】図１の照明器具の垂直断面図
【図６】図１の照明器具の要部拡大断面図
【図７】図１の照明器具の放熱作用を説明する垂直断面図
【図８】図１の照明器具の放熱作用を説明する斜め上方から視た外観斜視図
【図９】本発明に係る第２実施形態の照明器具の垂直断面図
【図１０】本発明に係る第３実施形態の照明器具の垂直断面図
【図１１】本発明に係る第４実施形態の照明器具の垂直断面図
【図１２】本発明に係る第５実施形態の照明器具の垂直断面図
【図１３】本発明に係る第６実施形態の照明器具の垂直断面図
【図１４】本発明に係る第７実施形態の照明器具のエレベータかごへの設置状態の斜め下方から視た外観図
【図１５】図１４の照明器具のエレベータかごへの設置状態の斜め上方から視た外観図
【図１６】本発明に係る第８実施形態の照明器具のエレベータかごへの設置状態の斜め下方から視た外観図
【図１７】図１６の照明器具のエレベータかごへの設置状態の斜め上方から視た外観図
【図１８】本発明に係る第９実施形態の照明器具のエレベータかごへの設置状態の斜め下方から視た外観図
【図１９】図１８の照明器具のエレベータかごへの設置状態の斜め上方から視た外観図
【図２０】従来の照明器具のエレベータかごへの設置状態の垂直断面図
【発明を実施するための形態】
【００１５】
以下、本発明に係る複数の実施形態の照明器具について図面を参照して説明する。
(第１実施形態)
図１に本発明に係る第１実施形態の照明器具１０のエレベータかご６００への設置状態の斜め下方から視た外観図を示し、図２に照明器具１０のエレベータかご６００への設置状態の斜め上方から視た外観図を示す。
図１および図２に示すように、照明器具１０は、床板６０１と側部の二対の側板６０２と天井板（天井面）６０３とからなるエレベータかご６００において天井板６０３の天井裏の４個の角部６０４にそれぞれ設置されている。
【００１６】
図３に照明器具１０の分解斜視図を示す。
図３に示すように、照明器具１０は、施工面である天井板６０３に対して平行な板面部１２および天井板６０３の上面に固定される固定片部１３を有する取付台１１と、複数のＬＥＤ（図４参照）１５を有して取付台１１の板面部１２に固定されるＬＥＤユニット１４とを備える。
【００１７】
取付台１１は、板金曲部材製やアルミニウム押出型材製であって、板面部１２が、例えば正方形に形成されている。板面部１２は、側縁に一対の側板１６が接続されており、側板１６の下端縁にフランジ形状の一対の固定片部１３が接続されている。取付台１１は、板金曲部材製やアルミニウム押出型材製であるために熱伝導性が良好である。固定片部１３は複数のねじ孔１７を有する。
【００１８】
図４に照明器具１０の平面図を示す。
図４に示すように、ＬＥＤユニット１４においてＬＥＤ１５は、取付台１１の板面部１２の天井板６０３側に照射方向を向けてＬＥＤ基板１８に実装されている。ＬＥＤ基板１８に有する不図示のプリント回路は電源配線１９に接続されており、電源配線１９は外部に引き出されてエレベータかご６００に接続される不図示の電源回路に電気的に接続される。
【００１９】
図５に照明器具１０の垂直断面図を示し、図６に照明器具１０の要部拡大断面図を示す。
図５に示すように、天井板６０３は、ＬＥＤユニット１４の複数のＬＥＤ１５の位置に対応した複数の貫通孔状の天井開口部６０５を有する。
照明器具１０は、ＬＥＤユニット１４が、天井開口部６０５に対応した数および位置にＬＥＤ１５を有する。
【００２０】
図６に示すように、ＬＥＤユニット１４は、ＬＥＤ１５が、天井開口部６０５を向くように取り付けられている。ＬＥＤ１５は、ＬＥＤ基板１８と板面部１２との間に放熱シート２０が挟まれて、ねじ２１が板面部１２にねじ込まれることにより板面部１２に取り付けられている。放熱シート２０はＬＥＤ基板１８と板面部１２とに熱的に接続されている。電源配線１９は、張力止部材２２により板面部１２に支持されている。
従って、照明器具１０は、天井板６０３の天井開口部６０５に対応した天井裏側に取り付けられるために、従来の枠を有するものと比べて、多数を設置する場合においても、外径による規制を受けることなく接近して配置できるとともにうるさい感じにならない。
【００２１】
ＬＥＤ１５の前面にレンズ２３が取り付けられている。レンズ２３は、透明や乳白色の透光性を有する樹脂材料により成形されている。レンズ２３は、天井開口部６０５の内径寸法よりも大きい外径寸法の鍔部２４を下端部に有しており、鍔部２４と天井開口部６０５との間に予め定められた大きさの空隙部２５が設定されている。
なお、レンズ２３は、透光性を有するパネルに代えて適用されてもよい。
【００２２】
取付台１１は、固定片部１３のねじ孔１７が、天井板６０３の上面に突出するように天井板６０３にねじ止めされたスタッドボルト６０６に挿通された後に、ナット６０７がスタッドボルト６０６にねじ込まれることにより天井板６０３の上面に取り付けられる。
従って、照明器具１０は、天井板６０３のスタッドボルト６０６に固定されるために、墨出し等が不要であって簡単に施工できる。
【００２３】
また、照明器具１０は、取付台１１が、天井板６０３に平行な板面部１２と、一対の側板１６と、一対の固定片部１３とから形成されて天井板６０３に固定されるために、天井板６０３の補強を兼ねることができる。
【００２４】
さらに、照明器具１０は、取付台１１の側板１６の高さ寸法が全体の高さ寸法になるために、薄型化できるとともに小型化できる。照明器具１０は、薄型化により、高さ制限の厳しい場所にも設置できる。
【００２５】
加えて、照明器具１０は、通常用いられている器具本体に相当する部品が取付台１１のみであるために、従来のものと比較して、部品点数を大幅に減少でき、コスト面で有利である。
【００２６】
図７に照明器具１０の放熱作用を説明する垂直断面図を示し、図８に照明器具１０の放熱作用を説明する斜め上方から視た外観斜視図を示す。
図７に示すように、ＬＥＤ基板１８に通電されることによりＬＥＤ１５が発光するのに伴ってＬＥＤ１５が発熱する。ＬＥＤ１５からの熱は、ＬＥＤ基板１８から放熱シート２０を介して板面部１２に伝わり、板面部１２から外部へ放熱される。また、板面部１２に伝わった熱は、板面部１２から側板１６を通じて固定片部１３から天井板６０３に伝わり、天井板６０３の上面および下面から放熱される。このとき、ＬＥＤ１５が発した熱により、板面部１２と側板１６とに囲まれた空間内の温度が上昇される。そこで、レンズ２３と天井開口部６０５との間の空隙部２５から空気が導入される。
従って、照明器具１０は、熱伝導性が良好な板金曲部材製やアルミニウム押出型材製である取付台１１を通じてＬＥＤ１５が発した熱を効率良く放熱できるとともに、空隙部２５から空気を導入することによりＬＥＤ１５が発した熱を効率良く放熱できる。
【００２７】
図８に示すように、取付台１１は、板面部１２において側板１６のない側縁に一対の対向する側部開口部２６を有する。そのため、一対の側部開口部２６が対流の流路になることにより、ＬＥＤ１５が発した熱が側部開口部２６から放熱される。
従って、照明器具１０は、ＬＥＤ１５の発熱を、取付台１１を含めてエレベータかご６００の天井板６０３も利用して効率良く放熱できる。
また、照明器具１０は、取付台１１において側板１６のない側縁の側部開口部２６を通じて対流による流路が形成されるために、ＬＥＤ１５が発した熱を効率良く放熱できる。
【００２８】
以上、説明した第１実施形態の照明器具１０によれば、取付台１１を天井板６０３の天井開口部６０５に対応した天井裏側に取り付けるだけで設置されるために、従来の照明器具と比べて、施工がし易い。また、第１実施形態の照明器具１０によれば、従来の枠を有するものと比べて、多数を設置する場合においても、外径による規制を受けることなく接近して配置できるために、エレベータかご６００の天井裏の限られたスペースを有効に利用できるとともに、うるさい感じにならない。
【００２９】
また、第１実施形態の照明器具１０によれば、取付台１１が熱伝導性の良い材料を用いて形成されるために、ＬＥＤ１５の発熱を効率良く放熱できる。
【００３０】
そして、第１実施形態の照明器具１０によれば、レンズ２３と天井板６０３の天井開口部６０５との間に設けた空隙部２５を通じて空気が導入されることによりＬＥＤ１５が発した熱を効率良く放熱できる。
【００３１】
加えて、第１実施形態の照明器具１０によれば、ＬＥＤユニット１４が、天井開口部６０５に対応した数および位置にＬＥＤ１５を有するために、従来の枠を有するものと比べて、多数を設置する場合においても、外径による規制を受けることなく接近して配置できるとともにうるさい感じにならない。
【００３２】
（第２実施形態）
次に、本発明に係る第２実施形態の照明器具について説明する。なお、以下の実施形態において、上述した第１実施形態と重複する構成要素や機能的に同様な構成要素については、図中に同一符号あるいは相当符号を付することによって説明を簡略化あるいは省略する。
【００３３】
図９に本発明に係る第２実施形態の照明器具３０の垂直断面図を示す。
図９に示すように、照明器具３０は、ＬＥＤユニット１４のＬＥＤ１５の前面にレンズ３１を設けており、レンズ３１の前方側が天井板６０３の天井開口部６０５よりかご室内側へ露出している。
【００３４】
照明器具３０は、取付台１１に有する側板１６の高さ寸法が全体の高さ寸法になるために、レンズ３１の前方側が天井板６０３の天井開口部６０５よりかご室内側へ露出していることにより、全体の高さ寸法を低くできる。
【００３５】
照明器具３０は、ＬＥＤ基板１８に通電されることによりＬＥＤ１５が発光するのに伴ってＬＥＤ１５が発熱する。ＬＥＤ１５からの熱は、ＬＥＤ基板１８から放熱シート２０を介して板面部１２に伝わり、板面部１２から外部へ放熱される。また、板面部１２に伝わった熱は、板面部１２から側板１６を通じて固定片部１３から天井板６０３に伝わり、天井板６０３の上面および下面から放熱される。このとき、ＬＥＤ１５が発した熱により、板面部１２と側板１６とに囲まれた空間内の温度が上昇される。そこで、レンズ３１と天井開口部６０５との間の空隙部２５から空気が導入される。
【００３６】
照明器具３０は、一対の側部開口部２６が対流の流路になることにより、ＬＥＤ１５が発した熱が側部開口部２６から放熱される。
従って、照明器具３０は、ＬＥＤ１５の発熱を、空隙部２５から空気を導入することにより効率良く放熱できるとともに、取付台１１を含めてエレベータかご６００の天井板６０３も利用して効率良く放熱でき、側部開口部２６を通じて対流による流路を介して効率良く放熱できる。
【００３７】
第２実施形態の照明器具３０によれば、レンズ３１の前方側が天井板６０３の天井開口部６０５よりかご室内側へ露出していることにより、より一層薄型化できるとともに小型化でき、薄型化により高さ制限の厳しい場所にも設置できる。
【００３８】
（第３実施形態）
次に、本発明に係る第３実施形態の照明器具について説明する。
図１０に本発明に係る第３実施形態の照明器具４０の垂直断面図を示す。
図１０に示すように、照明器具４０は、取付台１１の板面部１２とＬＥＤ基板１８とが両面接着式の放熱シート４１により接合されているとともに、両面接着式の放熱シート４２により固定片部１３が天井板６０３に接合されている。ＬＥＤ基板１８の前方にレンズ４３が取り付けられており、レンズ４３に有するフランジ４４がＬＥＤ基板１８と天井板６０３とに挟まれている。レンズ４３は、前方側が天井板６０３の天井開口部６０５よりかご室内側へ露出している。
【００３９】
照明器具４０は、ＬＥＤ基板１８に通電されることによりＬＥＤ１５が発光するのに伴ってＬＥＤ１５が発熱する。ＬＥＤ１５からの熱は、ＬＥＤ基板１８から放熱シート４１を介して板面部１２に伝わり、板面部１２から外部へ放熱される。また、板面部１２に伝わった熱は、板面部１２から側板１６を通じて固定片部１３から放熱シート４２を通じて天井板６０３に伝わり、天井板６０３の上面および下面から放熱される。
従って、照明器具４０は、ＬＥＤ１５の発熱を、取付台１１を含めてエレベータかご６００の天井板６０３も利用して効率良く放熱できる。
【００４０】
第３実施形態の照明器具４０によれば、両面接着式の放熱シート４２により固定片部１３が天井板６０３に接合されるために、スタッドボルト等を用いることなく、簡単に設置できる。そして、第３実施形態の照明器具４０によれば、より一層薄型化できるとともに小型化でき、薄型化により高さ制限の厳しい場所にも設置できる。
【００４１】
（第４実施形態）
次に、本発明に係る第４実施形態の照明器具について説明する。
図１１に本発明に係る第４実施形態の照明器具５０の垂直断面図を示す。
図１１に示すように、照明器具５０は、板形状の取付台５１が適用されており、取付台５１の側縁部が両面接着式の放熱シート５２により天井板６０３に接合されている。レンズ５３は、レンズ本体５４とフランジ５５との間に天井板６０３の天井開口部６０５に位置決めするための段部５６を有する。レンズ５３は、前方側が天井板６０３の天井開口部６０５よりかご室内側へ露出している。
【００４２】
第４実施形態の照明器具５０によれば、段部５６を天井板６０３の天井開口部６０５に嵌め込むことによりレンズ５３が天井開口部６０５に位置決めされるために、簡単に設置できる。また、第４実施形態の照明器具５０によれば、両面接着式の放熱シート５２により取付台５１の側縁部が天井板６０３に接合されるために、スタッドボルト等を用いることなく、簡単に設置できる。そして、第４実施形態の照明器具５０によれば、より一層薄型化できるとともに小型化でき、薄型化により高さ制限の厳しい場所にも設置できる。
【００４３】
（第５実施形態）
次に、本発明に係る第５実施形態の照明器具について説明する。
図１２に本発明に係る第５実施形態の照明器具６０の垂直断面図を示す。
図１２に示すように、照明器具６０は、板形状の取付台６１が適用されており、取付台６１の側縁部が両面接着式の放熱シート６２により天井板６０３に接合されている。レンズ６３は、レンズ本体６４とフランジ６５との間に天井板６０３の天井開口部６０５に位置決めするための段部６６を有する。レンズ６３は、フランジ６５が取付台６１と天井板６０３とに挟まれて取り付けられる。レンズ６３は、前方側が天井板６０３の天井開口部６０５よりかご室内側へ露出している。
【００４４】
第５実施形態の照明器具６０によれば、段部６６を天井板６０３の天井開口部６０５に嵌め込むことによりレンズ６３が天井開口部６０５に位置決めされるために、簡単に設置できる。また、第５実施形態の照明器具６０によれば、両面接着式の放熱シート６２により取付台６１の側縁部が天井板６０３に接合されるために、スタッドボルト等を用いることなく、簡単に設置できる。そして、第５実施形態の照明器具６０によれば、より一層薄型化できるとともに小型化でき、薄型化により高さ制限の厳しい場所にも設置できる。
【００４５】
（第６実施形態）
次に、本発明に係る第６実施形態の照明器具について説明する。
図１３に本発明に係る第６実施形態の照明器具７０の垂直断面図を示す。
図１３に示すように、照明器具７０は、板形状の取付台７１が適用されており、取付台７１の側縁部が両面接着式の放熱シート７２により天井板６０３に接合されている。レンズ７３は板形状に形成されている。
【００４６】
第６実施形態の照明器具７０によれば、両面接着式の放熱シート７２により取付台７１の側縁部が天井板６０３に接合されるために、スタッドボルト等を用いることなく、簡単に設置できる。そして、第６実施形態の照明器具７０によれば、より一層薄型化できるとともに小型化でき、薄型化により高さ制限の厳しい場所にも設置できる。
【００４７】
（第７実施形態）
次に、本発明に係る第７実施形態の照明器具について説明する。
図１４に本発明に係る第７実施形態の照明器具８０のエレベータかご６００への設置状態の斜め下方から視た外観図を示し、図１５に照明器具８０のエレベータかご６００への設置状態の斜め上方から視た外観図を示す。
【００４８】
図１４に示すように、床板６０１と側部の二対の側板６０２と天井板６０３とからなるエレベータかご６００において、天井板６０３の対角線上に複数の天井開口部６０５が配置されている。
図１５に示すように、照明器具８０は、天井板６０３の対角線上に配置された複数の天井開口部６０５に対応して十字状に天井裏に設置されている。
【００４９】
第６実施形態の照明器具８０によれば、エレベータかご６００内の空間において天井板６０３に十字状に配置されることにより光の演出を幅広くできる。
【００５０】
（第８実施形態）
次に、本発明に係る第８実施形態の照明器具について説明する。
図１６に本発明に係る第８実施形態の照明器具９０のエレベータかご６００への設置状態の斜め下方から視た外観図を示し、図１７に照明器具９０のエレベータかご６００への設置状態の斜め上方から視た外観図を示す。
【００５１】
図１６に示すように、床板６０１と側部の二対の側板６０２と天井板６０３とからなるエレベータかご６００において、天井板６０３の全域にわたり複数の天井開口部６０５が配置されている。
図１７に示すように、照明器具９０は、天井板６０３の全域にわたって配置された複数の天井開口部６０５に対応して天井裏に設置されている。
【００５２】
第８実施形態の照明器具９０によれば、エレベータかご６００内の空間において天井板６０３の全域にわたって配置されることにより光の演出を幅広くできる。
【００５３】
（第９実施形態）
次に、本発明に係る第９実施形態の照明器具について説明する。
図１８に本発明に係る第９実施形態の照明器具１００のエレベータかご６００への設置状態の斜め下方から視た外観図を示し、図１９に照明器具１００のエレベータかご６００への設置状態の斜め上方から視た外観図を示す。
【００５４】
図１８に示すように、床板６０１と側部の二対の側板６０２と天井板６０３とからなるエレベータかご６００において、側板６０２の上端部側に天井板６０３に平行に複数の天井開口部６０５が配置されている。
図１９に示すように、照明器具１００は、側板６０２の上端部側に天井板６０３に平行に配置された複数の天井開口部６０５に対応して側板６０２の裏面に設置されている。
【００５５】
第９実施形態の照明器具１００によれば、エレベータかご６００内の空間において側板６０２の上端部側に天井板６０３に平行に配置されることにより光の演出を幅広くできる。
【００５６】
なお、本発明の照明器具においてＬＥＤユニット，ＬＥＤ，ＬＥＤ基板等は、前述した実施形態に限定されるものでなく、適宜な変形や改良等が可能である。
【符号の説明】
【００５７】
１０，３０，４０，５０，６０，７０，８０，９０，１００  照明器具
１１  取付台
１２  板面部
１３  固定片部
１４  ＬＥＤユニット
１５  ＬＥＤ
２３，３１，４３，５３，６３，７３  レンズ
２５  空隙部（隙間）
６００  エレベータかご゛
６０３  天井板（天井面，施工面）
６０５  天井開口部（開口部）
【図１】
2012046322.tif 000003
【図２】
2012046322.tif 000004
【図３】
2012046322.tif 000005
【図４】
2012046322.tif 000006
【図５】
2012046322.tif 000007
【図６】
2012046322.tif 000008
【図７】
2012046322.tif 000009
【図８】
2012046322.tif 000010
【図９】
2012046322.tif 000011
【図１０】
2012046322.tif 000012
【図１１】
2012046322.tif 000013
【図１２】
2012046322.tif 000014
【図１３】
2012046322.tif 000015
【図１４】
2012046322.tif 000016
【図１５】
2012046322.tif 000017
【図１６】
2012046322.tif 000018
【図１７】
2012046322.tif 000019
【図１８】
2012046322.tif 000020
【図１９】
2012046322.tif 000021
【図２０】
2012046322.tif 000022